(57)【要約】      （修正有）【課題】冷蔵庫は近年大型化して食料品の買いだめをすることが多くなり、突然の慶弔があつた時などは来客のもてなしでそこに大量に準備することがある。そのあと、多くの残った食材を処分したり古くしたりして、食料品の無駄が生まれる。台所に立つのも忙しいときに、食料品のビニールパックが開けられなかったりすると、精神的に苛立ってしまうことがある。このような問題点を解消し、利便性の高い冷蔵庫を提供する。【解決手段】屋内型冷蔵庫と屋外型簡易冷蔵庫をペアで置いて、食材の配分を考えてするようにし、屋内型冷蔵庫の扉にペアの賞味期限管理液晶表示装置を取り付けて食料品を古くしないようにする。屋内型冷蔵庫の扉を内側にくぼむように成型して、その容積をポケツト収納子として活用して、その中に鋏やナイフなどを入れて食料品をすぐに開けて調理できるようにする。【選択図】図１
2019158303.tif 000002
【特許請求の範囲】
【請求項１】
人類の生存に欠かせない食料品の無駄を少なくする目的で、冷蔵庫を室内と常設の屋外にも置いて、屋内冷蔵庫を親機とするその扉に屋内と屋外の区別ができる液晶表示装置を取り付けて、屋外用冷蔵庫の子機も含めたふたつの冷蔵庫の収納食品の賞味期限を管理・通報する効果をあげるため開閉用扉に警報つきペア表示液晶装置を固着させた屋内用冷蔵庫。
【請求項２】
冷蔵庫から取り出したパツク食品を取り出そうとするときには鋏やナイフなどの小物類が必要なので、屋内用冷蔵庫の扉の一部を内側に成型して、そのスペース容積をポケツト収納庫として小形のナイフや鋏などを入れられるようにした冷蔵庫の内側収納の扉。
【請求項３】
冷蔵庫の扉表面に温度管理装置やＴＶドアホーンなどの電気装置が増えるとステイシヨナリーなどの器具では電気配線が不足するので、屋内用冷蔵庫の扉の開閉軸側に電気配線をするための空洞を設けて配線を上部まで貫通させ、冷蔵庫の天井部の防塵装置の中でコネクター等の端子配線をするようにした扉の冷蔵庫。
【請求項４】
子機である屋外用冷蔵庫に山形パッキンの防雨装置とブザーなどの防犯機能をそなえた利便性と多用途の屋外冷蔵庫。
【請求項５】
屋外用冷蔵庫の持ち運びと、扉の開閉をスムーズに行うための長いハンドルと防犯キーを取り付けた冷蔵庫の上蓋ハンドル。
【請求項６】
子機とする屋外用冷蔵庫にあって、その本体下部のほこりや土などによる汚れを少なくして警報ブザーを保護する用途のために、底部の周囲を枠囲いして本体をかさあげした屋外冷蔵庫の土台枠。
【請求項７】
食料品収納容量の問題として、建物の外壁に大型の屋外用冷蔵庫を設置して食料の収納容量を増やすことを追及する方策として、底辺に据え置きようの台を伸ばし、上部には屋根を設けてその間に冷蔵庫を取り付けて、本体は外壁とおなじ色の耐熱パネルで装飾し、風雨や盗難に耐えるよう山形パッキンやパッチン錠で扉を閉めることによって利用者に安全安心の食料保護装置を提供すると共に、前記で示した外側の扉をなくして建物の屋内側の壁と共に垂直面一体構造として、扉を屋内の側面に設けることによって室内から冷蔵庫の姿を消すという世界で類のない画期的な効果が得られる。
【発明の詳細な説明】
【技術分野】
【０００１】
大切な食料品の賞味期限を管理する液晶表示装置を屋内型の冷蔵庫の扉に固着させて、子機である屋外型小型冷蔵庫の収納食品などをペアで管理表示する装置。  
【０００２】
食料品を包むビニールパックや袋などは破れにくいものがあるので、扉にポケツト収納庫を設けて、そこに小さい鋏やナイフなどを入れられるようにする。        
【０００３】
屋内用冷蔵庫の扉に取り付ける電気装置が数多くなった場合、その電気配線を扉の開閉軸側に貫通の空洞を設け、冷蔵庫の最上部に設けたコネクターまで電気配線を通す。                                                                      
【０００４】
子機とする屋外型冷蔵庫の本体と蓋に、防犯と暴雨機能を持たせたもの。        
【０００５】
子機である屋外型冷蔵庫の上蓋に、開閉を容易にするための長いハンドルとその先に防犯キーを設置する。
【０００６】
屋外型小型冷蔵庫の本体下の汚損を少なくするために、底部を枠囲いして本体を持ち上げる円錐状の台を取り付ける。                                          
【０００７】
建物の外壁側に屋外用冷蔵庫を設置するために、据え置き台と屋根を設け、その間に建物に用いられたものと同質同色の耐熱パネルを使用して冷蔵庫を設備することによって、外観が建物と見栄えに違和感のない一体完成品とすることが出来る。
【背景技術】
【０００８】
産業の発展と社会の豊かさと共に家庭用冷蔵庫は大型化して、中に多量の品物を保管することができることによって食料品を古くしてしまうことが日常多くある。  とくに夏場など冷やす食品が溢れるとその食べ物の処分に困ることがある。
また冷蔵庫の中から食料品を取り出しても、真空パツクの包装が丈夫になっていて手などではなかなか開けることができないでいた。
最近では外側から温度管理をする機能で、冷蔵庫の扉に温度調節用の操作部を取り付けてデスプレイユニツトを通して本体との間を配線していた。
冷やす食料品が溢れた時、市場にはそれらを収納するポータブル冷蔵庫が出回っていない。
冷蔵庫は食料を保管するための生活必厨品として、家庭の台所に室内用冷蔵庫用として常設のスペースを取る必要があった。
【先行技術文献】
【特許文献】
【０００９】
【特許文献１】特開２００１−６１４５７
【００１０】
【特許文献２】特開２００２-２５１５１８
【発明の概要】
【発明が解決しようとする課題】
【００１１】
前記先行技術文献で示している冷蔵庫内の食料品の賞味期限表示液晶装置にあっては、表示が品物の単品ごとの詳細であったり、数量や購入日それに重量や収納位置などのいろいろな表示項目があって、こうした複雑要素では食べ物の要となる賞味期限の日づけが一見した場合分かりづらい欠点がある。  また表示装置の機能が多すぎて操作が複雑なことで、せっかくの装置も子供を含めた家族でなじめない問題がおこる。
厨房では昼夜の日々の献立はあらかじめ頭の中で考えて作る場合と、冷蔵庫の中身を見てその中の食材品目から食事を検討する場合があるので、料理をする者にとっては準備する食材の内容を表示を見て一目瞭然で認識する必要がある。
【００１２】
冷蔵庫から取り出した食料品のフイルムパックは丈夫で開けにくいものが多い。そうしたものを開けるための小物を台所の中で探し回る必要が起きる。  
必要な小物類はナイフや鋏、栓抜きなどを食卓準備用品として手元に備えておかなければならないが、先行文献ではその保管位置を表面扉に取り付けている。
扉表面ではその前を人間が行き来するので、取り付け物体が破損したり怪我をする危険が多い。
【００１３】
暑い季節になるとビールやアイスクリームなど冷蔵庫で冷やすものが多くなるとどうしても庫内に入りきれなくなるという問題点があった。
そうした物は廃棄処分するか、アイスボックスなどに氷を詰め込んで一時期まで保管するしか手立てが無かった。
このように近代産業が発達した今日でさえ保管スペースの有無で大切な食料品の無駄が生まれていた。
【課題を解決するための手段】
【００１４】
冷蔵庫の扉につけた食料品の液晶表示画面は屋内と屋外の両方を管理でき、賞味期限がくると当日の月日を点滅させて知らせる項目とブザーからなっている。      画面の表示は左から絵図で表わした食品の分類、次にカタカナで食品の名前を表示して次に賞味期限の月日というシンプルで見やすい四つの項目からなっている。
冷蔵庫は家族全員が使うものなので、中に入っている食品の内訳は子供から老人まで楽しんで見ながら賞味期限の管理と操作ができる液晶表示画面を特徴とする。
画面のシンプルさに合わせて液晶装置の操作も簡単で誰もが扱うことができる。
【００１５】
冷蔵庫の扉を成型時に内側にスペースをもうけて、図１の１２ポケツト収納庫を取り付けて鋏などの小物類を入れる。
鋏を見つけるという時間短縮ができて、料理を手順よくすることができる。      
【００１６】
冷蔵庫は台所に一台というのが普通の家庭で、夏季にビールなどの飲み物やアイス商品が増えた場合、あるいは突然の慶弔で思わぬ来客のおもてなしに食料品の収納に困った時などに屋外用簡易冷蔵庫が威力を発揮して、屋内冷蔵庫からはみ出たものをかたづけられるという利点がある。
【００１７】
前記したポータブル型屋外用冷蔵庫では、収納容量が小さいという欠点がある。そこで建物の外壁に付属した一体型の大型冷蔵庫を設置する。
【発明の効果】
【００１８】
多忙な日常生活では食生活と健康は密接な関係にあり、大型化した冷蔵庫に買いだめした食料品を詰め込むことが常態になっています。そうした場合であって冷蔵庫の奥まったものを取り出すのを忘れたりする場合がおこっても、扉の液晶表示装置が賞味期限を点滅信号とブザーで知らせてくれる機能によって仕舞った食べ物を古くすることなく安心安全の食生活を送ることができる。  
液晶表示装置によってペアとする屋外の冷蔵庫の収納食品まで食材管理ができるので、食料の無駄を少なくした資源の有効利用に役立つ。
この屋外冷蔵庫は保冷するものが無いときは持ち運びが手軽で、家の片隅に小型収納庫としても利用できる長所がある。
液晶表示装置は生ものなどの食料品の賞味期限を点滅によって知ることができるので、新鮮な食材によって家族全員が健康で活力に満ちた明るい日々を過ごすことができる。
【００１９】
屋内用冷蔵庫に食材が入りきれなくなった場合、今社会を見回しても市販の電気店で屋外用簡易冷蔵庫を見つけることはできません。
屋外冷蔵庫は、魚や穀物類など世界的に資源が減少しているときに、家庭などで溢れた食料品を大切にして資源の無駄をなくす効果が生まれる長所がある。
持ち運びが便利なポータブル型なので、普通の家の軒下やベランダにスペースを取らずにおくことができる。
多量の余剰食料品は、建物と一体とした大型の屋外型冷蔵庫の中に収納することができる。
【図面の簡単な説明】
【００２０】
【図１】冷蔵庫の扉の表面に、液晶画面表示装置とその下にポケツト収納          庫を設置
【図２】冷蔵庫の扉に液晶画面表示装置とポケツト収納庫を取り付けた側面図
【図３】冷蔵庫と液晶画面表示装置の電気配線図
【図４】屋外型簡易冷蔵庫に磁気センサーと警報ブザーを取り付けた側面図
【図５】屋外型簡易冷蔵庫に磁気センサーと警報ブザーを取り付けた電気配線            図
【図６】冷蔵庫の本体と扉配線の施工を示す、扉が開いた状態の側面図
【図７】同上扉が開いた状態の平面図
【図８】上蓋に開閉ハンドルを取り付けた屋外用冷蔵庫を上から見た図
【図９】屋外用冷蔵庫の下部に円錐形の汚損枠を取り付けた物を下から見た図
【図１０】建物の外壁に屋外型冷蔵庫の取り付け台を作り、壁の側面に一体型とした冷蔵庫の側面図。
【図１１】建物の外壁に一体設置した屋外冷蔵庫の正面図。
【発明を実施するための形態】
【００２１】
図２は冷蔵庫の扉に１６液晶画面と１７ＩＣ基盤を設けた扉の側面図。
その機能は食材記憶装置と管理表示装置、ならびに自己保持画面と操作パネルなど公知技術から構成されている。
図１の電源ボタン押すと液晶画面が現れて、計時装置によって賞味期限の該当する当日期限の項目が点滅表示すると共にブザーの音で知らせる。
モードのボタンを押すごとに、欄送りや月日の表示を順次変更することができ１５モード選択スイッチで消去するステツプ機能を備える。
１５モード選択スイッチの上下の三角印を押すと画面の欄送りの機能をする。    モードを月日の書き込み画面にして、１５のスイッチで該当する期日を選んで決定ボタンを押すと設定になる。
全体が決まると終了スイッチ押すことによって、その欄の計時機能が働き、賞味期限が来た欄を自動的に表示して食品状態の管理状況を知らせる。
この液晶モードの中には子機とする屋外用簡易冷蔵庫の管理欄画面も含む。    
【００２２】
１２はポケツト収納庫を表わし、扉成型時に内面に小物を収納できるように設計をして、中に入れた小物が外に落ちないように斜めの空間を作っている。
１３表面カバーは１１のスライドガイドによって上下に開閉動作をして、１０上部のマグネットキヤッチによって閉じる作用。
１３Ａはスライド扉のつまみを表わしていて、外部に出る長さを１センチ程  度に抑えることによって、物の破損や前を通る人の怪我をなくすようにする  。
【００２３】
図４は屋外型簡易冷蔵庫の側面図を表わす。
暴雨と防犯機能を持たせるために、２６警報ブザーと２７防犯ワツパ、４防犯キーと防犯用アンカー板を備える。
さらに本体の暴雨装置として上部の周囲に山形パッキンで囲む。
２３外蓋のハンドルには食材の盗難を防ぐために５扉開閉ロツク装置を備えることによって安全性が保たれる。
【００２４】
図１０と図１１は建物の外壁を利用して、そこに屋外用冷蔵庫をくっつけた構図である。
地上から少し上がったところに冷蔵庫の据え置き台を延ばして、上部には風雨の予防の屋根を取り付けた図。
取り付けた冷蔵庫を含む外観は、壁と同色同質の素材を用いて見栄えを建物と一体とする。
扉はいたずらなどを防ぐために防犯用キーと側面のパッチン錠で施錠して、雨水などが中に入らないように山形パッキンで周囲を保護する。
図では外壁に取り付けた冷蔵庫の扉が外付けになっていますが、この扉を室内側の壁に同色のもので施工することによって、台所の屋内から冷蔵庫というスペースを無くすことができ、台所の中を動きやすくするばかりでなく、防犯の安全や保守点検が容易になる。
【産業上の利用可能性】
【００２５】
地球規模の気候変動で食糧危機が問題視される現代、食料品は毎日の健康と食べる味覚の喜びを人々に与えて人生に喜びを与えてくれています。
その資源有効利用の目的で生きるうえで糧となる食料を、冷蔵庫の表扉に液晶賞味期限表示装置を固着して、奥内用冷蔵庫と屋外用簡易冷蔵庫のペアで品質管理をする利用目的にしている。
現在の生活圏で内と外二つの冷蔵庫を備えた家庭は余り見当たらないので、沈滞気味の日本経済を活性化させる効果がある。
これら屋外用簡易冷蔵庫は新規の商品として、電器産業と販売網の雇用を生み出す期待がある。
また建物の外壁に付随した屋外用冷蔵庫を設置することによって、ポータブル型とは違った容量の大きなものを設計できる。新たな新築の場合、台所の室内の設計段階で扉を動きの支障がない所に取り付けると、屋内で冷蔵庫というスペースを無くすことができる。
このような建物は周囲を見回しても見当たらないので社会に広まると、建築業界と電気産業界などの幅広い分野の活成果に広く役立てることができる。
屋内と屋外のペア冷蔵庫は、食品安全基本法３条の国民の健康保護に役立つものであり、知的財産基本法３条に働きかけ経済のいっそうの発展に貢献します。
よって特許法３９条と特許法１条によりこの出願の保護をお願いします。
【符号の説明】
【００２６】
１     液晶画面表示装置
２     冷蔵庫の扉
３     取り付けネジ
４     防犯用キー
５    防犯用扉開閉ロツク装置
６    防犯用アンカー板
７    操作ボタン
８    本体をあげる汚損機能の円錐形枠囲い
９    電源コード
１０  マグネットキャッチ
１１  扉スライドガイド
１２  ポケツト収納庫
１３  表面カバー
１３Ａ  表面扉のスライドのつまみ
１４  冷蔵庫の扉の取って
１５  モード選択スイッチ
１６  液晶画面
１７  ＩＣ基盤
１８  磁気センサー
１９  内部配線
２０  冷蔵装置
２１  冷蔵庫室内
２２  開閉ハンドル
２３  外ブタ
２４  冷蔵庫本体
２５  電源プラグ
２６  警報ブザー
２７  防犯ワツパ
２８  山形パッキン
２９  外ブタ開閉用の蝶版
３０  配線用ダクト
３１  冷蔵庫の本体と扉の電気配線
３２  連結用の補強鉄版
３３  扉開閉用の空洞回転軸
３４  防犯用キーのさしこみ穴
３５  建物の外壁に取り付けた屋根
３６  冷蔵庫扉の開閉用の軸受け
３７  扉を閉めるパッチン錠
３８  外壁に設けた冷蔵庫の据え置き台
Ｓａ  磁気センサーのＡ接点
ＢＺ  警報ブザー
【図１】
2019158303.tif 000003
【図２】
2019158303.tif 000004
【図３】
2019158303.tif 000005
【図４】
2019158303.tif 000006
【図５】
2019158303.tif 000007
【図６】
2019158303.tif 000008
【図７】
2019158303.tif 000009
【図８】
2019158303.tif 000010
【図９】
2019158303.tif 000011
【図１０】
2019158303.tif 000012
【図１１】
2019158303.tif 000013